(57)【要約】【課題】複数の連接板と座金が含有されるフラットベット型固態酸化物燃料電池連接板パッケージ構造を提供する。【解決手段】電池セットの構成要素の中にポジティブ−電解質−ネガティブがやや弱いため、大面積のポジティブ−電解質−ネガティブに作製することが容易ではなく、また、大面積のポジティブ−電解質−ネガティブを電池セットに組立てる過程において、亀裂しやすいため、本考案は、連接板で併設や接続することにより、大きい反応面積が得られ、また、法線方向のセルの層数を低減でき、電池セットのパッケージ困難度が低下され、そして、電池セットを併設や接続することより使用する空間が大幅に節約され、そして、使用上、ユーザーの設計ニーズに応じて適量のポジティブ-電解質−ネガティブを結合することができる。【選択図】図１
0003122087.tif 000002
【実用新案登録請求の範囲】
【請求項１】
複数の連接板があり、各連接板が、必要に応じて互いに結合され、各連接板は、第１のランナー領域と第２のランナー領域とが設けられ、当該第１のランナー領域は、当該連接板の一面上に設置され、また、当該第１のランナー領域に、第１の通道部があり、当該第１のランナー領域の一端に、一つ以上の当該第１の通道部に連通する第１の注入穴があり、もう一端に、当該第１の通道部に連通する第１の排出穴があり、当該第２のランナー領域は、連接板のもう一面上に設置され、また、当該第２のランナー領域に、第２の通道部があり、当該第２のランナー領域の一端に、一つ以上の当該第２の通道部に連通する第２の注入穴があり、当該第２の注入穴が、当該第１のランナー領域の第１の排出穴の両側に設置され、当該第２のランナー領域のもう一端に、当該第２の通道部に連通する第２の排出穴があり、当該第２の排出穴が、当該一つ以上の第１のランナー領域の第１の注入穴の間に設置され、また、各第１と第２の通道部は、それぞれ、多数個のリブがあり、隣にある二つのリブの間に、縦方向か横方向に、連通する通道を形成するための凹槽が形成され、
燃料の漏れを防止するための座金があり、当該座金が、対応して互いに結合する複数の連接板の上方周縁に設けられる、ことを特徴とするフラットベット型固態酸化物燃料電池連接板パッケージ構造。
【請求項２】
複数の連接板は、横方向に併設結合されることを特徴とする請求項１に記載のフラットベット型固態酸化物燃料電池連接板パッケージ構造。
【請求項３】
複数の連接板は、縦方向に接続結合されることを特徴とする請求項１に記載のフラットベット型固態酸化物燃料電池連接板パッケージ構造。
【請求項４】
複数の連接板は、横方向の併設結合と縦方向の接続接合の両方により結合されることを特徴とする請求項１に記載のフラットベット型固態酸化物燃料電池連接板パッケージ構造。
【請求項５】
当該第１の注入穴は、第１の注入管体が接続されることを特徴とする請求項１に記載のフラットベット型固態酸化物燃料電池連接板パッケージ構造。
【請求項６】
当該第１の排出穴は、第１の排出管体が接続されることを特徴とする請求項１に記載のフラットベット型固態酸化物燃料電池連接板パッケージ構造。
【請求項７】
当該第１の注入管体は、作動流体供給管が接続されることを特徴とする請求項５に記載のフラットベット型固態酸化物燃料電池連接板パッケージ構造。
【請求項８】
当該第１の排出管体は、作動流体排出管が接続されることを特徴とする請求項６に記載のフラットベット型固態酸化物燃料電池連接板パッケージ構造。
【請求項９】
当該第２の注入穴は、第２の注入管体が接続されることを特徴とする請求項１に記載のフラットベット型固態酸化物燃料電池連接板パッケージ構造。
【請求項１０】
当該第２の排出穴は、第２の排出管体が接続されることを特徴とする請求項１に記載のフラットベット型固態酸化物燃料電池連接板パッケージ構造。
【請求項１１】
当該第２の注入管体は、作動流体供給管が接続されることを特徴とする請求項９に記載のフラットベット型固態酸化物燃料電池連接板パッケージ構造。
【請求項１２】
当該第２の排出管体は、作動流体排出管が接続されることを特徴とする請求項１０に記載のフラットベット型固態酸化物燃料電池連接板パッケージ構造。
【考案の詳細な説明】
【技術分野】
【０００１】
本考案は、フラットベット型固態酸化物燃料電池連接板パッケージ構造に関し、特に、ユーザーのニーズに応じて、ポジティブ−電解質−ネガティブを結合する連接板を調整して、燃料電池の作動流体が均一的に且つスムーズに各連接板の両側面に流れ込むものに関する。また、電池セットの組立て過程において、連接板で、併設や接続することにより、小さい面積のポジティブ−電解質−ネガティブを、大きい反応面積にすることにより、法線方向のセル層数を低減でき、電池セットのパッケージ困難度が低下され、そして、電池セットを併設や接続することにより、空間が大幅に節約され、そして、使用上、ユーザーのニーズに応じて適当に変化することができるため、多種類のタイプを創出でき、また、様々の燃料電池や類似するものに適用できる構造である。
【背景技術】
【０００２】
エネルギーは、地球の資源開発の基礎であり、現代の科学発展や生活は、有効的にエネルギーを利用する結果である。電力は、人類にとって、最も便利なエネルギーであり、この数世紀以来、科学者や技術者は、様々のタイプの発電技術を開発して、経済発展や社会進化を支える。その中、燃料電池（fuel cell、FC）は、全世界のエネルギー分野において、重要視される清潔なエネルギー技術であり、各国の政府機構や研究単位及び産業界等は、次々、連盟や開発チームを組織して、戦略制定や技術開発及び製品開発を行い、近い未来に、この緑であるエネルギー技術を日常生活に適用することを求める。
【０００３】
システム効率から言えば、燃料電池は、優れた潜在な勢いを有し、特に、燃料電池とガスタービンとを結合することにより、高効率に循環できることは、他の技術が追付けないものである。近年来、環境保護の問題やエネルギーの不足等の多重のプレッシャーにより、各国の政府や車、電力及びエネルギー産業等は、燃料電池の技術発展を重視し始める。上記のように、燃料電池技術は、発展可能性が非常に大きい清潔なエネルギー技術である。
【０００４】
水素と酸素との電気化学反応により電力を産生する発想は、１９世紀から存在し、その後、科学者は、絶えずに、この「燃料電池」と称される技術を人類の日常生活に適用することに試して来た。その中、固態酸化物燃料電池（solid oxide fuel cell、 SOFC）を電源とするものは、誕生してから百年の歴史を持つが、商業化の過程において、解決しなければならない技術問題点が残っている。１９６０年代から、関係業者が管状のSOFC技術を発展して、SOFC発電システムを開発し、それにより、業界が再び当該技術を注目して開発する。また、１９８０年代半ば、フラットベット型SOFCの構造技術が、突破されるため、製造コストから言うと、競爭力が管状SOFCより高く、そのため、その後、SOFC技術を開発する会社や機構（米国やヨーロッパ、日本及びオーストラリア等の地区）は、主として、フラットベット型システムを対象とする。
【０００５】
連接板は、SOFCにとって、最も大切な素子の一であり、材料として、セラミックと金属の２種類がある。連接板の主な機能は、隣にある電池同士の陰極と陽極を連接するためのものでありながら、物理バリヤ（physical barrier）としての機能もあり、空気電極材料と燃料電極端とを隔離することにより、還元雰囲気を確保し、同じように、燃料電極材料と空気電極端とを隔離することにより、酸化環境を確保する。
【０００６】
そのため、連接板は、次の条件に満たさなければならない。
ａ、SOFCの作業温度において、連接板は、優れた導電性を有する。
ｂ、約８００℃の作業温度と還元雰囲気や酸化環境において、連接板は、適当なサイズと微細構造、化学性質及び相（phase）安定度がある。
ｃ、連接板は、酸素と水素の浸透を抑制でき、両者が操作する時直接に作用することを防止する。
ｄ、室温や高温である作業環境において、連接板は、熱膨張係数が、隣にある素子に相当（comparable）する。
ｅ、高温である作業環境において、連接板と隣にある素子とは、拡散（diffusion）反応を発生しない。
ｆ、連接板は、優れた熱伝導率（thermal conductivity）を有する。
ｇ、連接板は、優れた酸化防止性と硫化防止性及び炭化防止性を有する。
ｈ、連接板は、材料が、コストを低減するために、容易に手に入れられ、そして、製造しやすい特性を有する。
ｉ、連接板は、適当の高温強度とクリープ防止の能力を有する。
【０００７】
今、金属連接板は、SOFCの主流であり、多数の金属連接板は、大雑把に、クロムベース（chromium base）や鉄ベース（iron base）の両種類がある。クロムベースは、やや早期のものであり、比較的に高い作業温度が許容されるが、鉄ベースと比較すると、コストが高いことと加工し難いこと及び延性がよくないことなどの問題点があるため、鉄ベースが主流になる。また、SOFCの作業温度を７００℃に低下させると、フェライトステンレス鋼（ferritic stainless steel）を連接板の材料とすることができるため、コストが大幅に低減される。
【０００８】
一般のSOFC連接板の構造設計において、流体の入り口と出口の数及びその位置について考量するが、連接板のランナー内において、流体流速の均一化について、考量していない。一般に、流体の入り口と出口の数が少なければ、流体が、ランナー内の流速均一性が悪くなり、逆に、流体の入り口と出口の数が多ければ、流体が、ランナー内の流速均一性が良くなり、しかしながら、全体の設計が複雑になり、また、製造の複雑度や製造コストが高くなり、そのため、作動流体のための入り口と出口の数は、殆ど三つ以下（三つを含む）である。図１２は、一般の従来のSOFCの連接板のランナー設計であり、それは、典型である二つの入り口と一つの出口のランナー設計で、作動流体の流速が、ランナー内において、均一的ではなく、二つの入り口の位置と二つの入り口同士の間にあるランナーの流速が比較的に速く、他の位置にあるランナーの流速が比較的に遅い。
【０００９】
T. L. Wenらの“フラットベット型固態酸化物燃料電池セットの材料研究”（T.-L. Wen、 D. Wang、 M. Chen、 H. Tu、 Z. Zhang、 H. Nie and W. Huang、 “Material research for planer SOFC stack”、 Solid State Ionics、 １４８、 pp５１３-５１９、 ２００２.）は、電池セットの構成要素の材料を説明し、その電池セットの構成要素図（図１３を参照しながら）から分かるように、直交するランナーを配置する設計であり、連接板のランナーは、出入り口がそれぞれ二つである対称設計で、ランナーの流速が均一ではない問題に考量していない。
【００１０】
ドイツ特許DE１００３９０２４A１号は、SOFC電池セットの組立て方式に関し、ガラスセラミック封止の電池セットであり、並流（co-flow）の流向設計で、即ち、燃料と空気との流向が一致で、連接板の設計は、ランナー領域が、リブと凹槽とから構成され、しかしながら、当該特許は、出入り口の数やランナー領域の詳細設計について触れていない。
【００１１】
以上の論文や特許において、大面積であるポジティブ−電解質−ネガティブ組立ての問題や改善の方法について触れていなく、即ち、構造強度が足りないことと反応面積が不足であること、大きい空間が必要であること及び単位体積の発電量が小さいこと等の問題点が残っているため、一般の従来のものは、実用的ではない。
【特許文献１】ドイツ特許DE１００３９０２４A１号
【考案の開示】
【考案が解決しようとする課題】
【００１２】
本考案の主な目的は、両側にあるランナーの流速が遅いと流速が均一ではない問題を解消でき、大面積ポジティブ−電解質−ネガティブの組立て構造を実現できるフラットベット型固態酸化物燃料電池連接板パッケージ構造を提供する。
【課題を解決するための手段】
【００１３】
請求項１の考案は、複数の連接板があり、各連接板が、必要に応じて互いに結合され、各連接板は、第１のランナー領域と第２のランナー領域とが設けられ、当該第１のランナー領域は、当該連接板の一面上に設置され、また、当該第１のランナー領域に、第１の通道部があり、当該第１のランナー領域の一端に、一つ以上の当該第１の通道部に連通する第１の注入穴があり、もう一端に、当該第１の通道部に連通する第１の排出穴があり、当該第２のランナー領域は、連接板のもう一面上に設置され、また、当該第２のランナー領域に、第２の通道部があり、当該第２のランナー領域の一端に、一つ以上の当該第２の通道部に連通する第２の注入穴があり、当該第２の注入穴が、当該第１のランナー領域の第１の排出穴の両側に設置され、当該第２のランナー領域のもう一端に、当該第２の通道部に連通する第２の排出穴があり、当該第２の排出穴が、当該一つ以上の第１のランナー領域の第１の注入穴の間に設置され、また、各第１と第２の通道部は、それぞれ、多数個のリブがあり、隣にある二つのリブの間に、縦方向か横方向に、連通する通道を形成するための凹槽が形成され、燃料の漏れを防止するための座金があり、当該座金が、対応して互いに結合する複数の連接板の上方周縁に設けられる、ことを特徴とするフラットベット型固態酸化物燃料電池連接板パッケージ構造である。
【００１４】
請求項２の考案は、請求項１に記載のフラットベット型固態酸化物燃料電池連接板パッケージ構造であって、複数の連接板は、横方向に併設結合される。
【００１５】
請求項３の考案は、請求項１に記載のフラットベット型固態酸化物燃料電池連接板パッケージ構造であって、複数の連接板は、縦方向に接続結合される。
【００１６】
請求項４の考案は、請求項１に記載のフラットベット型固態酸化物燃料電池連接板パッケージ構造であって、複数の連接板は、横方向の併設結合と縦方向の接続接合の両方により結合される。
【００１７】
請求項５の考案は、請求項１に記載のフラットベット型固態酸化物燃料電池連接板パッケージ構造であって、当該第１の注入穴は、第１の注入管体が接続される。
【００１８】
請求項６の考案は、請求項１に記載のフラットベット型固態酸化物燃料電池連接板パッケージ構造であって、当該第１の排出穴は、第１の排出管体が接続される。
【００１９】
請求項７の考案は、請求項５に記載のフラットベット型固態酸化物燃料電池連接板パッケージ構造であって、当該第１の注入管体は、作動流体供給管が接続される。
【００２０】
請求項８の考案は、請求項６に記載のフラットベット型固態酸化物燃料電池連接板パッケージ構造であって、当該第１の排出管体は、作動流体排出管が接続される。
【００２１】
請求項９の考案は、請求項１に記載のフラットベット型固態酸化物燃料電池連接板パッケージ構造であって、当該第２の注入穴は、第２の注入管体が接続される。
【００２２】
請求項１０の考案は、請求項１に記載のフラットベット型固態酸化物燃料電池連接板パッケージ構造であって、当該第２の排出穴は、第２の排出管体が接続される。
【００２３】
請求項１１の考案は、請求項９に記載のフラットベット型固態酸化物燃料電池連接板パッケージ構造であって、当該第２の注入管体は、作動流体供給管が接続される。
【００２４】
請求項１２の考案は、請求項１０に記載のフラットベット型固態酸化物燃料電池連接板パッケージ構造であって、当該第２の排出管体は、作動流体排出管が接続される。
【考案を実施するための最良の形態】
【００２５】
図１、２は、本考案の一面の立体外観概念図と、本考案のもう一面の立体外観概念図である。本考案は、図のように、フラットベット型固態酸化物燃料電池連接板パッケージ構造であり、当該フラットベット型固態酸化物燃料電池連接板パッケージ構造は、複数の連接板１と、座金２３、３２とが含有される（図３を参照しながら）。
【００２６】
必要に応じて、連接板１を結合し（図１、９、１０を参照しながら、複数の連接板１を、横方向に併設結合するものや縦方向に接続結合するもの或いは横方向に併設結合して縦方向に接続結合するものである）、また、連接板１に、第１のランナー領域１１と第２のランナー領域１２とが設けられ、当該第１のランナー領域１１は、当該連接板１の一面に設置され、当該第１のランナー領域１１に、第１の通道部１１１があり、当該第１のランナー領域１１の一端に、一つ以上の当該第１の通道部１１１に連通する第１の注入穴１１４があり、もう一端に、当該第１の通道部１１１に連通する第１の排出穴１１６があり、当該第２のランナー領域１２は、連接板１のもう一面に設置され、当該第２のランナー領域１２に、第２の通道部１２１があり、また、当該第２のランナー領域１２の一端に、一つ以上の当該第２の通道部１２１に連通する第２の注入穴１２４があり、当該第２の注入穴１２４は、当該第１のランナー領域１１の第１の排出穴１１６の両側に設置され、当該第２のランナー領域１２のもう一端に、当該第２の通道部１２１に連通する第２の排出穴１２６があり、当該第２の排出穴１２６は、当該一つ以上の第１のランナー領域１１の第１の注入穴１１４の間に設置され、また、当該第１と第２の通道部１１１、１２１は、それぞれ、多数個のリブ１１２、１２２が含有され、隣にある二つのリブ１１２、１２２同士の間に縦方向や横方向の凹槽１１３、１１３a、１２３、１２３aがあり、当該凹槽１１３、１１３a、１２３、１２３aにより、連通する通道が形成される。
【００２７】
複数の座金２３、３２が、対応して互いに結合する連接板１の上方周縁に設けられ、燃料の漏れを防止するためのものである。
【００２８】
当該第１と第２の通道部１１１、１２１は、当該第１と第２の排出穴１１６、１２６に対応する一端が、円弧形に配列され、当該第１と第２の注入穴１１４、１２４の一端の外側に、それぞれ、複数の対応する第１の案内部１１５、１２５が設置され、当該第１と第２の排出穴１１６、１２６の一端の外側に、それぞれ、第２の案内部１１７、１２７が設置される。
【００２９】
図７、８は、本考案の他の実施例の一面の立体外観概念図と本考案の他の実施例のもう一面の立体外観概念図である。図のように、当該第１と第２の注入穴１１４、１２４の一端の縁において、第１の案内部１１５a、１２５aが設けられてもよく、また、当該第１と第２の排出穴１１６、１２６の一端の縁において、第２の案内部１１７a、１２７aが設けられても良い。
【００３０】
図１、９、１０は、本考案の一面の立体外観概念図と本考案の二つの連接板を縦方向に接続結合する時の概念図及び本考案の四つの連接板を横方向併設結合と縦方向接続結合により結合する時の概念図である。本考案は、図のように、ユーザーのニーズに応じて、互いに結合される連接板１により、燃料電池の作動流体が均一的に且つスムーズに連接板１の両側面へ流れ込んで、電池セットの効果が実現される。本考案は、対応して互いに結合する複数の連接板１の上方周縁に設けられる座金２３、３２により、燃料の漏れや二つの作動流体の交流を防止し、本考案は、直接に電池セットの発電パワーを増加する方法で、また、ポジティブ−電解質−ネガティブの組立ては、連接板１と座金２３、３２とにより、比較的に大きい面積であるポジティブ−電解質−ネガティブを、電池セットに組み立てるものと比較すると、本考案は、組立て過程において、ポジティブ−電解質−ネガティブが亀裂しなく、また、連接板１の併設や接続することにより大きい反応面積が得られ、電池セットのパッケージの困難度が低減され、また、電池セットの併設や接続することにより空間の節約ができ、そして、使用上、ユーザーのニーズに応じて適量のポジティブ−電解質−ネガティブを互いに結合でき、ユーザーの設計に合わせて変化でき、全体としての実用性や便利性が大幅に向上される。
【００３１】
図３乃至６は、本考案の組立て状態の分解概念図と本考案の組立て後の概念図及び本考案の流向概念図である。図のように、組立てる時、一対の横方向に併設結合された基座２を用意し、各基座２の両端に第１と第２の排出管体２１、２２が接続され、二つの横方向に併設結合された第１の連接板１を当該一対の基座２上に設置し、また、他の二つの横方向に併設結合された第２の連接板１ａを当該二つの横方向に併設結合された第１の連接板１上に設置し、そして、一対の横方向に併設結合された上蓋６を当該二つの横方向に併設結合された第２の連接板１ａ上に設置し、当該一対の上蓋６の両端に、それそれ、複数の第１と第２の注入管体６１、６２が接続され、当該一対の横方向に併設結合された基座２と当該二つの横方向に併設結合された第１の連接板１同士の間に、一対のポジティブ−電解質−ネガティブ３が設置され、当該一対のポジティブ−電解質−ネガティブ３は、当該一対の横方向に併設結合された基座２と、当該二つの横方向に併設結合された第１の連接板１との間に、それぞれ、作動流体が隙間から漏れることと二つの作動流体が混合することとを防止するための座金２３、３２が設置され、当該第１の排出穴１１６、１１６ａは、当該第１の排出管体２１の開口に対応し、もう一側の第２の排出穴１２６、１２６ａは、当該第２の排出管体２２の開口に対応し、当該二対の横方向に併設結合された第１と第２の連接板１、１ａの間に、一対のポジティブ−電解質−ネガティブ４が設置され、当該二対の横方向に併設結合された第１と第２の連接板１、１ａは、それぞれ、当該一対のポジティブ−電解質−ネガティブ４との接触面に、当該作動流体が隙間から漏れることと二つの作動流体が混合することとを防止するための座金２４、４２が設置され、当該一対の上蓋６と当該二つの横方向に併設結合された第２の連接板１ａの間に、一対のポジティブ−電解質−ネガティブ５が設置され、当該一対のポジティブ−電解質−ネガティブ５は、それぞれ、当該二つの横方向に併設結合された第２の連接板１ａと当該一対の上蓋６との接触面に、当該作動流体が隙間から漏れることと二つの作動流体が混合することとを防止するための座金２５、５２が設置され、第１の注入穴１１４、１１４ａは、当該上蓋６の第１の注入管体６１の開口に対応し、また、もう一側にある第２の注入穴１２４、１２４ａは、当該一対の上蓋６の第２の注入管体６２の開口に対応し、当該一対の横方向に併設結合された基座２の各ランナー領域２６は、当該二つの横方向に併設結合された第１の連接板１の各第２のランナー領域１２に対応し、当該二つの横方向に併設結合された第１の連接板１の各第１のランナー領域１１は、当該二つの横方向に併設結合された第２の連接板１ａの各第２のランナー領域１２ａに対応し、また、当該二つの横方向に併設結合された第２の連接板１ａの各第１のランナー領域１１ａは、当該一対の上蓋６の各ランナー領域６３に対応し、そして、複数の固定素子６４により、全体を組立ててロック固定し、これにより、ユーザーのニーズに応じて、適量の連接板を互いに結合することにより、全体の実用性や便利性が向上される。
【００３２】
使用する時、当該上蓋６の第１の注入管体６１から所定の作動流体を注入し、当該作動流体は、当該第２の連接板１ａの第１のランナー領域１１ａの一端にある第１の注入穴１１４ａを介して、第１の通道部１１１ａへ案内され、また、当該第１の通道部１１１ａを介して当該第１の排出穴１１６ａへ流れ、そして、当該第１の連接板１の第１のランナー領域１１の第１の排出穴１１６を介して、当該基座２の第１の排出管体２１へ流れ、当該作動流体は、一部が、当該上蓋６の第１の注入管体６１から、直接に当該第１の連接板１の第１のランナー領域１１の一端にある第１の注入穴１１４へ流れ、そして、当該第１の通道部１１１に案内され、また、当該第１の通道部１１１を介して当該第１の排出穴１１６へ流れ、最後に、当該基座２の第１の排出管体２１から流れ出し、当該作動流体は、更に、一部が、当該上蓋６の第１の注入管体６１から、直接に当該基座２のランナー領域２６へ流れ、そして、当該基座２の第１の排出管体２１から流れ出す。
【００３３】
もう１種類の作動流体は、当該上蓋６の第２の注入管体６２から注入され、当該作動流体は、当該上蓋６のランナー領域６３を介して当該第２の連接板１ａの第２のランナー領域１２ａの第２の排出穴１２６ａへ流れ、最後に、当該基座２の第２の排出管体２２へ流れ、当該作動流体は、一部が、当該上蓋６の第２の注入管体６２から当該第２の連接板１ａの第２のランナー領域１２ａの一端にある第２の注入穴１２４ａを介して当該第２の通道部１２１ａへ流れ、そして、当該第２の通道部１２１ａを介して当該第２の排出穴１２６ａへ流れ、最後に、当該基座２の第２の排出管体２２から流れ出し、当該作動流体は、更に一部が、当該上蓋６の第２の注入管体６２を介して当該第１の連接板１の第２のランナー領域１２の一端にある第２の注入穴１２４を介して第２の通道部１２１へ流れ、また、当該第２の通道部１２１を介して当該第２の排出穴１２６へ流れ、最後に、当該基座２の第２の排出管体２２から流れ出す。２種類の異なる作動流体が、それぞれ、逆方向に当該ポジティブ−電解質−ネガティブ３、４、５の上下両面を流れることにより、発電の作用が得られる。
【００３４】
図１１は、本考案の他の組立てた後の概念図である。図のように、当該第１と第２の注入管体６１、６２は、それぞれ、更に作動流体を注入するための作動流体供給管７１、７２が接続されてもよく、また、当該第１と第２の排出管体２１、２２に、作動流体を排出するための作動流体排出管８１、８２が接続されても良く、そのため、図１と９及び１０の配列により、流体管路の設計が簡単である利点が得られ、また、作動流体供給管７１、７２により、両列の注入管体６１、６２に対して作動流体を供給でき、そして、作動流体排出管８１、８２に、両列の排出管体２１、２２が接続されて、作動流体が排出される。
【００３５】
以上の詳しく説明することにより、本技術を良く分かる熟練者であれば、本考案は、確実に上記の目的を達成できるため、法に従って、実用新案登録請求を出願する。
【００３６】
以上は、ただ、本考案のより良い実施例であり、本考案は、それによって制限されず、本考案に係わる実用新案登録請求の範囲や明細書の内容に従って、等価の変更や修正は、全てが、本考案に係わる実用新案登録請求の範囲内に含まれる。
【図面の簡単な説明】
【００３７】
【図１】本考案の一面の立体外観概念図
【図２】本考案のもう一面の立体外観概念図
【図３】本考案の組立て状態の分解概念図
【図４】本考案の組立てた後の概念図
【図５】本考案の流向概念図
【図６】本考案の流向概念図
【図７】本考案の他の実施例の一面の立体外観概念図
【図８】本考案の他の実施例のもう一面の立体外観概念図
【図９】本考案の二つの連接板を縦方向に接続結合する時の概念図
【図１０】本考案の四つの連接板を横方向の併設と縦方向の接続の両方によって結合する時の概念図
【図１１】本考案の他の組立てた後の概念図
【図１２】従来のSOFC連接板のランナー設計概念図
【図１３】従来のSOFC連接板の組立て状態の分解概念図
【符号の説明】
【００３８】
１、１a                第１と第２の連接板
１１、１１a             第１のランナー領域
１１１、１１１a        第１の通道部
１１２                 リブ
１１３、１１３a        凹槽
１１４、１１４a        第１の注入穴
１１５、１１５a        第１の案内部
１１６、１１６a        第１の排出穴
１１７、１１７a        第２の案内部
１２、１２a             第２のランナー領域
１２１、１２１ａ       第２の通道部
１２２                 リブ
１２３、１２３a        凹槽
１２４、１２４a        第２の注入穴
１２５、１２５a        第２の案内部
１２６、１２６a        第２の排出穴
１２７、１２７a        第２の案内部
２                     基座
２１、２２             第１と第２の排出管体
２３、２４、２５       座金
３                     ポジティブ−電解質−ネガティブ
３２                   座金
４                     ポジティブ−電解質−ネガティブ
４２                   座金
５                     ポジティブ−電解質−ネガティブ
５２                   座金
６                     上蓋
６１、６２             第１と第２の注入管体
６３                   ランナー領域
６４                   固定素子
７１、７２             作動流体供給管
８１、８２             作動流体排出管
【図１】
0003122087.tif 000003
【図２】
0003122087.tif 000004
【図３】
0003122087.tif 000005
【図４】
0003122087.tif 000006
【図５】
0003122087.tif 000007
【図６】
0003122087.tif 000008
【図７】
0003122087.tif 000009
【図８】
0003122087.tif 000010
【図９】
0003122087.tif 000011
【図１０】
0003122087.tif 000012
【図１１】
0003122087.tif 000013
【図１２】
0003122087.tif 000014
【図１３】
0003122087.tif 000015